(57)【要約】【課題】  天秤軸の支持機構において、使用者によるペダルの踏込時に、ペダルの動作が鈍くなってしまうことや、天秤軸受の摩擦やガタ等によるノイズが発生してしまうことを抑制する。【解決手段】  支持機構２０ａは、天秤軸８ａの幅方向に所定の間隔を空けて底板２側から上側へ突出した一対の支持部２２ｂ，２２ｃを有する金属製の天秤台２２と、天秤軸８ａの略中央部分から底板２側へ突出し、支持部２２ｂ，２２ｃ間に嵌合可能に形成された天秤軸受２４と、タッピングネジ２６とを備える。各支持部２２ｂ，２２ｃには、支持部２２ｂ，２２ｃを天秤軸８ａの幅方向に貫通する貫通孔２２ｄ，２２ｅが形成されている。また、天秤軸受２４は、合成樹脂にて構成され、貫通孔２４ａが天秤軸８ａの幅方向に沿って形成されると共に、底板２側から天秤軸８ａ側に向かって、天秤軸受２４を支持部２２ｂ側と支持部２２ｃ側とに分断するスリット２４ｂが形成されている。【選択図】  図２
2007286093.tif 000002
【特許請求の範囲】
【請求項１】
ピアノの底板に踏込可能に設けられたペダルが一端側に接続され、使用者による該ペダルの踏込動作を、前記ペダルとは反対側の端部に取り付けられた突揚棒を介してピアノのアクション機構に伝達する長尺状の天秤軸を、前記底板の上側で揺動可能に支持する天秤軸の支持機構であって、
前記天秤軸の長手方向に直交する幅方向に所定の間隔を空けて、前記底板から前記天秤軸側へ突出した一対の支持部を有し、該一対の支持部を前記天秤軸の幅方向に貫通する貫通孔が、前記各支持部に形成された天秤台と、
前記天秤軸の略中央部分から前記底板側へ突出し、前記一対の支持部に嵌合可能に形成されると共に、前記天秤台に対して前記天秤軸を揺動可能に固定するための貫通孔が、前記天秤軸の幅方向に沿って形成された天秤軸受と、
前記一対の支持部の貫通孔及び前記天秤軸受の貫通孔に挿入して、前記天秤軸を前記天秤台に揺動可能に固定するための固定部材と、を備え、
前記天秤台は、金属にて構成され、
前記天秤軸受は、弾性変形可能な樹脂にて構成されていることを特徴とする天秤軸の支持機構。
【請求項２】
前記天秤軸受には、当該天秤軸受を、前記天秤台の一方の支持部側と他方の支持部側とに分断するスリットが、前記底板側から前記天秤軸側に向かって形成されていることを特徴とする請求項１に記載の天秤軸の支持機構。
【発明の詳細な説明】
【技術分野】
【０００１】
本発明は、ピアノの底板に踏込可能に設けられたペダルが一端側に接続され、使用者によるペダルの踏込動作を、ペダルとは反対側の端部に取り付けられた突揚棒を介してピアノのアクション機構に伝達する天秤軸を、底板の上側で揺動可能に支持する天秤軸の支持機構に関する。
【背景技術】
【０００２】
従来より、アップライトピアノにおいては、底板にペダルが踏込可能に設けられており、そのペダルが使用者により踏み込まれると、その踏込動作を、底板の上側で揺動可能に配置されて一端側にペダルが接続された長尺状の天秤軸、及び、天秤軸のペダルとは反対側の端部に接続された突揚棒を介してピアノのアクション機構に伝達することで、打弦音を長く響かせたり通常よりも打弦音を弱めたりする等して演奏効果を高めるようにされている。
【０００３】
即ち、アップライトピアノにおいては、使用者によるペダルの踏込動作を、天秤軸及び突揚棒を介してアクション機構に伝達するために、天秤軸を底板の上側で揺動可能に支持する支持機構が設けられており、ペダルが使用者に踏み込まれると、支持機構を中心に天秤軸が揺動して突揚棒が上昇することにより、その踏込動作をアクション機構に伝達する。
【０００４】
そして、この種の支持機構としては、天秤軸の長手方向に直交する幅方向に所定の間隔を空けて、底板から天秤軸側へ突出した一対の支持部を有し、一対の支持部を天秤軸の幅方向に貫通する貫通孔が、各支持部に形成された天秤台と、天秤軸の略中央部分から底板側へ突出し、一対の支持部に嵌合可能に形成されると共に、天秤台に対して天秤軸を揺動可能に固定するための貫通孔が、天秤軸の幅方向に沿って形成された天秤軸受と、天秤台及び天秤軸受に形成された貫通孔に挿入されて天秤軸を天秤台に揺動可能に固定するための固定部材（例えば、ネジやボルト等）と、を備えたものが知られている（例えば、特許文献１参照）。
【０００５】
そして、この支持機構においては、天秤台の一対の支持部に天秤軸受を嵌合させ、固定部材を、天秤台の一方の支持部に形成された貫通孔から、天秤軸受に形成された貫通孔を介して、他方の支持部に形成された貫通孔に挿通することで、組み立てることができる。
【特許文献１】特開２００１−４２８５９号公報
【発明の開示】
【発明が解決しようとする課題】
【０００６】
ところで、従来の支持機構の天秤台及び天秤軸受は、金属にて構成されている。
このため、支持機構を組み立てる際に、例えばネジを強く締めすぎてしまうと、ペダル（詳しくは、天秤軸受）の動作が鈍くなってしまうといった問題や、天秤軸受及び天秤台の摩擦（金属同士の摩擦）によるノイズが発生してしまうといった問題があった。
【０００７】
これらの問題は、ネジを緩く締めるようにすれば解決することができるが、ネジを緩く締めた場合には、天秤軸受のガタによるノイズが発生してしまう。
本発明は、こうした問題を解決するためになされたものであり、天秤軸の支持機構において、使用者によるペダルの踏込操作時に、ペダルの動作が鈍くなってしまうことや、天秤軸受の摩擦やガタ等によるノイズが発生してしまうことを抑制することを目的としている。
【課題を解決するための手段】
【０００８】
上記目的を達成するためになされた請求項１に記載の発明は、ピアノの底板に踏込可能に設けられたペダルが一端側に接続され、使用者によるペダルの踏込動作を、ペダルとは反対側の端部に取り付けられた突揚棒を介してピアノのアクション機構に伝達する長尺状の天秤軸を、底板の上側で揺動可能に支持する天秤軸の支持機構であって、天秤軸の長手方向に直交する幅方向に所定の間隔を空けて、底板から天秤軸側へ突出した一対の支持部を有し、一対の支持部を天秤軸の幅方向に貫通する貫通孔が、各支持部に形成された天秤台と、天秤軸の略中央部分から底板側へ突出し、一対の支持部に嵌合可能に形成されると共に、天秤台に対して天秤軸を揺動可能に固定するための貫通孔が、天秤軸の幅方向に沿って形成された天秤軸受と、一対の支持部の貫通孔及び天秤軸受の貫通孔に挿入して、天秤軸を天秤台に揺動可能に固定するための固定部材と、を備え、天秤台は、金属にて構成され、天秤軸受は、弾性変形可能な樹脂にて構成されていることを特徴としている。
【０００９】
このような請求項１に記載のピアノの支持機構では、例えば、天秤台の一対の支持部に天秤軸受を嵌合させ、固定部材を、天秤台の一方の支持部に形成された貫通孔から、天秤軸受に形成された貫通孔を介して、他方の支持部に形成された貫通孔に挿通して締め付けることで、組み立てることができる。
【００１０】
以上のような請求項１に記載の天秤軸の支持機構によれば、固定部材で当該支持機構が強固に締め付けられてしまったとしても、天秤台から天秤軸受にかかる締付力は、天秤軸受が弾性変形することにより緩和されるので、天秤軸受はスムーズに揺動することができる。
【００１１】
よって、使用者によるペダルの踏込操作時に、ペダルの動作（即ち、天秤軸受の揺動）が鈍くなってしまうことや、天秤軸受の摩擦やガタ等によるノイズが発生してしまうことを抑制することができる。
【００１２】
ところで、天秤軸受を金属にて構成し、天秤台を樹脂にて構成した場合においても、上記問題を解決することはできるが、この場合、支持機構の強度を保つために、一対の支持部の幅を厚くする必要があるので、支持機構が大きくなってしまう。
【００１３】
一方、請求項１に記載の天秤軸の支持機構では、天秤台を金属にて構成しているので、一対の支持部の幅を厚くすることなく支持機構の強度を保つことができる。
ところで、天秤軸受には、請求項２に記載のように、当該天秤軸受を、天秤台の一方の支持部側と他方の支持部側とに分断するスリットが、底板側から天秤軸側に向かって形成されているとよい。
【００１４】
このようにすれば、固定部材で支持機構を締め付けた際に、天秤軸受の天秤台に嵌合している部分がスリット側（内側）へ倒れ込むので、天秤台から天秤軸受にかかる締付力を効率よく緩和することができ、使用者によるペダルの踏み込み時に、ペダルの動作が鈍くなってしまうことを効果的に抑制することができる。
【発明を実施するための最良の形態】
【００１５】
以下に、本発明が適用された実施形態のアップライトピアノのペダル装置について、図面を用いて説明する。
まず図１は、本実施形態のペダル装置を表す斜視図である。
【００１６】
本実施形態のペダル装置は、アップライトピアノの演奏効果を高めるために、アップライトピアノの底板２側に設けられるものであり、図１に示すように、ピアノの底板２に踏込み可能に設けられた３つのペダル４ａ〜４ｃを備えている。
【００１７】
ペダル４ａ〜４ｃは、使用者から見て左右方向に並んで配置されており、これらのうち、使用者から見て真ん中のペダル４ｂ（所謂マフラーペダル）には、使用者によるペダル４ｂの踏込動作をピアノのアクション機構（図示省略）に伝達するための突揚棒６ｂが接続されている。
【００１８】
一方、使用者から見て左側のペダル（所謂ソフトペダル）４ａには、底板２の上側で揺動可能に配置された長尺状の天秤軸８ａの一端側が、連結棒１０ａを介して接続されており、使用者から見て右側のペダル（所謂ラウドペダル）４ｃには、底板２の上側で揺動可能に配置された長尺状の天秤軸８ｂの一端側が、連結棒１０ｂを介して接続されている。
【００１９】
天秤軸８ａは、使用者によるペダル４ａの踏込動作を、ペダル４ａとは反対側の端部に取り付けられた突揚棒６ａを介して、アクション機構に伝達するためのものであり、本発明の支持機構２０ａによって底板２の上側で揺動可能に支持されている。
【００２０】
また、天秤軸８ａには、ペダル４ａと支持機構２０ａとの間に、一端が底板２に接続されたバネ３０ａの他端が接続されている。
天秤軸８ｂは、使用者によるペダル４ｃの踏込動作を、ペダル４ｃとは反対側の端部に取り付けられた突揚棒６ｃを介して、アクション機構に伝達するためのものであり、本発明の支持機構２０ｂによって底板２の上側で揺動可能に支持されている。
【００２１】
また、天秤軸８ｃには、ペダル４ｃと支持機構２０ｂとの間に、一端が底板２に接続されたバネ３０ｂの他端が接続されている。
なお、突揚棒６ａは、ペダル４ａが踏み込まれると、図示しないハンマーレールを押し上げてハンマー全体を弦に近づけるようにされている。また、突揚棒６ｂは、ワイヤーを介してハンマーの上側に配置されたフェルト又はクロス等の緩衝部材に接続されており、この緩衝部材は、ペダル４ｂが踏まれると、突揚棒６ｂの上昇動作に応じて、弦とハンマーとの間に垂れ下がるようにされている。また、突揚棒６ｃは、ダンパーロッドに接続されており、このダンパーロッドは、ペダル４ｃが踏み込まれると、突揚棒６ｃの上昇動作に応じて、ダンパーを弦から離すようにされている。
【００２２】
次に、本発明の主要部分である支持機構２０ａ，２０ｂの構成について、図２を用いて説明する。なお、図２は、支持機構２０ａ，２０ｂの構成を説明する説明図であり、図２（ａ）は、支持機構２０ａ，２０ｂの正面図であり、図２（ｂ）は、支持機構２０ａ，２０ｂの側面図である。
【００２３】
図２に示すように、支持機構２０ａは、底板２に設けられた基部２２ａ、及び、天秤軸８ａの長手方向に直交する幅方向（図２（ｂ）における左右方向）に所定の間隔を空けて、基部２２ａから天秤軸８ａ側（上側）へ突出した一対の支持部２２ｂ，２２ｃを有する天秤台２２と、天秤軸８ａの略中央部分から底板２側へ突出し、一対の支持部２２ｂ，２２ｃに嵌合可能に形成された天秤軸受２４と、タッピングネジ２６と、を備えている。
【００２４】
天秤台２２は、金属にて構成されており、各支持部２２ｂ，２２ｃには、当該支持部２２ｂ，２２ｃを天秤軸８ａの幅方向に貫通する貫通孔２２ｄ，２２ｅが形成されている。
天秤軸受２４は、合成樹脂（例えば、ポリアセタール）にて構成されており、天秤台２２に対して天秤軸８ａを揺動可能に固定するための貫通孔２４ａが天秤軸８ａの幅方向に沿って形成されている。
【００２５】
また、天秤軸受２４には、底板２側から天秤軸８ａ側に向かって、当該天秤軸受２４を、天秤台２２の一方の支持部２２ｂ側と他方の支持部２２ｃ側とに分断するスリット２４ｂが形成されている。
【００２６】
そして、このような構成の支持機構２０ａにおいては、例えば、天秤台２２の一対の支持部２２ｂ，２２ｃに天秤軸受２４を嵌合させ、タッピングネジ２６を、天秤台２２の一方の支持部２２ｂに形成された貫通孔２２ｄから、天秤軸受２４に形成された貫通孔２４ａを介して、他方の支持部２２ｃに形成された貫通孔２２ｅに挿通して締め付けることで、組み立てることができる。
【００２７】
なお、本実施形態において、支持機構２０ｂは、支持機構２０ａと同じ構成であり、組立方法も同じであるため、詳細な説明は省略する。
以上説明した本実施形態のペダル装置では、使用者によりペダル４ａ，４ｃが踏み込まれると、その踏込動作に応じて天秤軸８ａ，８ｂが図２（ａ）における時計回りに回転して突揚棒６ａ，６ｃが上昇することで、ペダル４ａ，４ｃの踏込動作をアクション機構に伝達する。
【００２８】
その後、使用者がペダル４ａ，４ｃから足を離すと（即ち、ペダル４ａ，４ｃの踏込動作を終了すると）、バネ３０ａ，３０ｂの付勢力により、天秤軸８ａ，８ｂが図２（ａ）における反時計回りに回転し、上昇していた状態の突揚棒６ａ，６ｃが下降すると共にペダル４ａ，４ｃが元の位置に復帰する。
【００２９】
以上のような本実施形態によれば、タッピングネジ２６で支持機構２０ａ，２０ｂを締め付けた際に、天秤軸受２４の天秤台２２に嵌合している部分がスリット２４ｂ側（内側）へ倒れ込むので、天秤台２２から天秤軸受２４にかかる締付力を効率よく緩和することができ、天秤軸受２４はスムーズに揺動することができる。
【００３０】
よって、使用者によるペダル４ａ，４ｃの踏込操作時に、その踏込動作（即ち、天秤軸受２４の揺動）が鈍くなってしまうことや、天秤軸受２４の摩擦やガタ等によるノイズが発生してしまうことを効果的に抑制することができる。
【００３１】
なお、本実施形態では、タッピングネジ２６が固定部材に相当している。
以上、本発明の一実施形態について説明したが、本発明は、種々の形態を採り得ることは言うまでもない。
【００３２】
例えば、天秤軸受２４は、弾性変形可能な樹脂であればよく、スリット２４ｂが形成されていなくてもよい。
また、本実施形態では、固定部材としてタッピングネジ２６を使用していたが、固定部材としては天秤軸受２４を天秤台２２に揺動可能に固定することができるものであれば何でもよく、例えばボルトとナットでもよい。
【００３３】
また、本実施形態において、ペダル４ｂには、直接突揚棒６ｂが接続されていたが、これに限らず、ペダル４ａ，４ｃと同様に、ペダル４ｂに天秤軸８ａ，８ｂの一端側を接続して、支持機構２０ａ，２０ｂやバネ３０ａ，３０ｂ等を設けるようにしてもよい。
【図面の簡単な説明】
【００３４】
【図１】実施形態のアップライトピアノのペダル装置を表す斜視図である。
【図２】同実施形態の支持機構の構成を説明する説明図である。
【符号の説明】
【００３５】
２…底板、４ａ〜４ｃ…ペダル、６ａ〜６ｃ…突揚棒、８ａ，８ｂ…天秤軸、１０ａ，１０ｂ…連結棒、２０ａ，２０ｂ…支持機構、２２…天秤台、２２ａ…基部、２２ｂ，２２ｃ…支持部、２２ｄ，２２ｅ…貫通孔、２４…天秤軸受、２４ａ…貫通孔、２４ｂ…スリット、２６…タッピングネジ。
【図１】
2007286093.tif 000003
【図２】
2007286093.tif 000004